(57)【要約】【課題】マッサージ装置の機械芯構造を提供する。【解決手段】本考案に係るマッサージ装置の機械芯構造は、基台と、前記基台上に設置され、第１のモーター及び通路を有する第１の台座と、第１の台座上に連結され、杆体、２つの支承受座及び２つのローラーセットを有するマッサージモジュールと、前記基台上に設置され、第２のモーター及び歯車セットを有する第２の台座と、ラックギアセットと、を備えるように構成される。【選択図】図１
0003179316.tif 000002
【実用新案登録請求の範囲】
【請求項１】
任意のマッサージ器具に応用可能なマッサージ装置の機械芯構造であって、
基台と、前記基台上に設置される第１の台座と、前記第１の台座上に連結されるマッサージモジュールと、前記基台上に設置される第２の台座と、ラックギアセットと、を備え、
前記第１の台座は、前記第１の台座の内部に設置される第１のモーターと、前記第１の台座を貫通する通路と、を有し、
前記マッサージモジュールは、前記通路内に装着され、かつ両端部がそれぞれ斜断面に形成されている杆体と、前記杆体の両端部にそれぞれ連結される２つの支承受座と、前記２つの支承受座上にそれぞれ連結され、前記第１のモーターにより駆動される２つのローラーセットと、を有し、その内、前記各ローラーセットごとに一対のローラーから構成されており、
前記第２の台座は、前記第２の台座の内部に設置される第２のモーターと、前記第２の台座の内部に設置され、前記第２のモーターにより駆動される歯車セットと、を有し、
前記ラックギアセットは、外部壁面上に対称的に設置されると同時に、前記歯車セットに連結されており、その内、前記歯車セットが回動する時に、基台全体が前記ラックギアセット上に移動するように連動されていることを特徴とする、マッサージ装置の機械芯構造。
【請求項２】
前記ローラーセット上の一対のローラーは、プラスチック、ゴム及びシリコーンから選ばれる１種からなることを特徴とする、請求項１に記載のマッサージ装置の機械芯構造。
【請求項３】
前記一対のローラーは、高さ差を有し、身体の相近接する部位だが、同一平面上でない部位に同時に接触可能となることを特徴とする、請求項１に記載のマッサージ装置の機械芯構造。
【請求項４】
前記杆体の両端部が斜断面に形成されていることで、前記杆体により前記支承受座を回動するように連動する時には、前記支承受座が当該端部を軸心として前記ローラーセットを環状回動させるようにすることを特徴とする、請求項１に記載のマッサージ装置の機械芯構造。
【考案の詳細な説明】
【技術分野】
【０００１】
本考案は、マッサージ装置の機械芯構造に係り、特に、一対のローラーをマッサージ器具として構成しており、身体の不平坦な部位に対して効率的にマッサージすることができる、マッサージ装置の機械芯構造に関するものである。
【背景技術】
【０００２】
現代人は多忙な生活に追われるため、丸一日の仕事や授業が終わると、暇な時間があっても運動するための体力がもたない。このようなことが長期間にわたって続くと、健康に影響を及ばすおそれがある。さらに身体に直接に反映し、筋肉の凝り、筋肉痛、血行障害などを生じる問題がある。それ故に、マッサージの関連器具は、家庭生活中に筋肉の凝りや筋肉痛等を和らげるための主要な設備の１つとして用いられる。マッサージの関連器具は、凝りや痛みのある部位に対してマッサージを行い、神経や筋肉など細胞組織に刺激を与えて、血行を促進し、筋肉の凝りや痛みを緩和する。一般的に言えば、マッサージ装置は、マッサージ椅子によく用いられ、身体の後半身側に対してマッサージを行う。
【０００３】
しかしながら、一般的なマッサージ装置には下記の欠陥があり、使用上の不便さをもたらす。
【０００４】
１．マッサージ装置のマッサージ頭部は硬い材質でできているため、皮膚に直接に押し当てたり、あるいは、骨に直接にマッサージすると、使用者に痛みや不快感を与えてしまい、場合によっては傷をつけてしまうことがある。
【０００５】
２．マッサージ装置のマッサージ頭部が通常、単一のローラーで構成されるものであり、単一部位に対するマッサージ効果が限定的であった。また、身体の相近接する部位でも、同一平面上でない部位には同時にマッサージすることができない。
【０００６】
３．一般的なマッサージ装置は外形が大きすぎ、一体成形により製造される場合において、その構造の強度が低下することから、数多くの部品で組み立てる必要があり、材料も組み立て工程も増加し、コストの増大化を招くこととなる。
【考案の概要】
【考案が解決しようとする課題】
【０００７】
本考案は、従来の技術のマッサージマットの有する以上のような欠陥に鑑みてなされたもので、上述した従来の技術の欠陥を効率的に改善することができる、マッサージ装置の機械芯構造にかかるものである。
【０００８】
本考案の第１の目的は、マッサージ頭部を軟質性材料で製造することにより、従来の技術において、より硬い材質を用いて製造したマッサージ頭部で身体や骨に対してマッサージを行う時に、使用者に不快感を与えてしまうのみならず、傷をつけるおそれさえある実情を解消したマッサージ装置の機械芯構造を提供することにある。
【０００９】
本考案の第２の目的は、従来の技術において単一のローラーで構成していたマッサージ頭部を、一対のローラーで構成し、さらに高さ差を有するように設計することで、マッサージ頭部が相近接する同一平面上でない部位に同時にマッサージを行うことが可能となる、マッサージ装置の機械芯構造を提供することにある。
【００１０】
本考案の第３の目的は、従来の技術において使用していた、より大型のマッサージ装置を小型化し、多数の部品で組み立てることを避けることにより、マッサージ装置を小型化、一体化することが可能となり、さらに部品及び寸法を簡素化することにより、材料と工程のコストを軽減することができるマッサージ装置の機械芯構造を提供することにある。
【課題を解決するための手段】
【００１１】
任意のマッサージ器具に応用可能な前記マッサージ装置の機械芯構造は、基台と、前記基台上に設置され、第１のモーター及び通路を有する第１の台座と、第１の台座上に連結され、杆体、２つの支承受座及び２つのローラーセットを有するマッサージモジュールと、前記基台上に設置され、第２のモーター及び歯車セットを有する第２の台座と、ラックギアセットと、を備えるように構成され、その内、前記２つのローラーセットは、前記第１のモーターにより駆動され、しかも各ローラーセットごとに一対のローラーから構成されており、ラックギアセットは、外部壁面上に対称的に設置されると同時に、前記歯車セットに連結されており、その内、歯車セットが回動する時に、基台全体が前記ラックギアセット上に移動するように連動されている。
【考案の効果】
【００１２】
本考案によれば、前記ローラーセット上のローラーを軟質性材料で製造することにより、マッサージ時の快適感を増大し、使用者に不快感を与えたり、傷をつける不具合を防止できる。
また、従来使用されていた単一のローラーで構成されたマッサージ頭部を一対のローラーで構成し、さらに高さ差を有するように設計することで、相近接する同一平面上にない部位に同時にマッサージを行うことができる。
また、従来使用されていた大型のマッサージ装置を小型化することができ、部品を数多く組み立てる必要がなく、マッサージ装置を小型化、一体化することができる。
さらに部品及び寸法を簡素化することで、材料と組み立て工程のコストを軽減させることができる。
【図面の簡単な説明】
【００１３】
【図１】本考案に係るマッサージ装置の機械芯構造を示す立体概略図である。
【図２】本考案に係るマッサージ装置の機械芯構造を示す分解概略図である。
【図３】本考案に係るマッサージ装置の機械芯構造を示す応用概略図である。
【考案を実施するための形態】
【００１４】
本考案に係るマッサージ装置の機械芯構造をより明らかに述べるために、以下、添付図面を参照しながら、本考案の実施例を詳細に説明する。
【００１５】
図１は、本考案に係るマッサージ装置の機械芯構造を示す立体概略図である。図２は、本考案に係るマッサージ装置の機械芯構造を示す分解概略図である。図１と図２を同時に参照しながら説明する。
本考案に係るマッサージ装置の機械芯構造は、基台Ａと、前記基台Ａ上に設置される第１の台座１と、第１の台座１上に連結されるマッサージモジュール２と、前記基台Ａ上に設置される第２の台座３と、ラックギアセット４と、を備えるように構成される。
第１の台座１は、前記第１の台座１の内部に設置される第１のモーター１１と、第１の台座１を貫通する通路１２と、を有する。
なお、マッサージモジュール２は、前記通路１２内に装着され、かつ両端部がそれぞれ斜断面に形成されている杆体２１と、前記杆体２１の両端部にそれぞれ連結される２つの支承受座２２と、前記２つの支承受座２２上にそれぞれ連結され、前記第１のモーター１１により駆動されて杆体２１を連動することにより、間接的に、前記支承受座２２を回動するように連動し、その内、杆体２１の両端部が斜断面に形成されていることで、杆体２１により支承受座２２を回動するように連動する時には、支承受座２２が当該端部を軸心として前記ローラーセット２３を環状回動させる。また、各ローラーセット２３は一対のローラーから構成されており、一対のローラーは、高さ差を有する一対のローラーになるように設計されており、一対のローラーの製造材料としては、プラスチック、ゴムあるいはシリコーンが挙げられる。
また、第２の台座３は、前記第２の台座３の内部に設置される第２のモーター３１と、第２の台座３の内部に設置され、前記第２のモーター３１により駆動される歯車セット３２と、を有する。
さらに、ラックギアセット４は、外部壁面上に対称的に設置されると同時に、前記歯車セット３２に連結されており、その内、歯車セット３２が回動する時に、基台Ａ全体が前記ラックギアセット４上に移動するように連動されている。
【００１６】
上述の説明により本考案の構造を完全に開示する。
最後に、図３に示される本考案のマッサージ装置の機械芯構造の応用概略図を参照しながら、本考案の応用について説明する。
図示されるように、マッサージ椅子への応用を応用実施例とし、その内、上述の前記ラックギアセット４が前記マッサージ椅子の内部に相対設置された状態で、基台Ａは、相対設置されたラックギアセット４の間に設置されている。基台Ａ上の第２の台座３の歯車セット３２は、ラックギアセット４上に組み合わされている。第２のモーター３１により歯車セット３２が駆動され、駆動された歯車セット３２は、ラックギアセット４を互いに噛み合わせて連結されるので、駆動されて回動する時には、基台Ａ全体が連動されてラックギアセット４の上に移動できるようになる。
【００１７】
以上、述べたように、本考案には下記の利点がある。
【００１８】
１．前記ローラーセット上のローラーを軟質性材料で製造することにより、マッサージ時の快適感を増大し、従来の技術において、より硬い材質を用いて製造されたマッサージ頭部で身体や骨に対してマッサージを行う時に、使用者に不快感を与えてしまうのみならず、傷をつけるおそれさえある実情を解消できる。
【００１９】
２．従来の技術において使用されていた単一のローラーで構成されたマッサージ頭部を一対のローラーで構成し、さらに高さ差を有するように設計することで、相近接する、同一平面上でない部位に同時にマッサージを行うことが可能となる。
【００２０】
３．従来の技術において使用されていたより大型のマッサージ装置を小型化し、多数の部品で組み立てることを避けることができ、マッサージ装置を小型化、一体化することが可能となる。さらに部品及び寸法を簡素化することから、材料と組み立て工程のコストを軽減することができる。
【００２１】
なお、上述の詳細な説明は、本考案の実施可能な実施例を具体的に説明したものであるが、前記実施例は、本考案の権利範囲を制限するものではなく、凡そ本考案の技術的精神を逸脱せずなされる同等効果の実施または変更は、全て本考案の実用新案登録請求範囲内に含まれるものとする。
【符号の説明】
【００２２】
Ａ    基台
１    第１の台座
１１  第１のモーター
１２  通路
２    マッサージモジュール
２１  杆体
２２  支承受座
２３  ローラーセット
３    第２の台座
３１  第２のモーター
３２  歯車セット
４    ラックギアセット
【図１】
0003179316.tif 000003
【図２】
0003179316.tif 000004
【図３】
0003179316.tif 000005